(57)【特許請求の範囲】
【請求項１】
アングル部を有する挿入部の先端に、硬質部材からなり、先端部本体と、この先端部本体を覆う先端カバーとから構成した先端構成部を設けて、この先端構成部には、少なくとも照明窓と観察窓とを形成し、かつこの観察窓に向けて洗浄用流体を供給する流体噴射ノズルを装着し、前記アングル部側から先端構成部の一部にまで外皮層を装着したものにおいて、
前記流体噴射ノズルを、前記先端構成部に形成した流体通路に挿嵌される接続筒部と、この接続筒部の先端に設けられ、前記先端構成部の表面と当接するように設けられ、前記観察窓に向けた噴射通路を有する噴射部とから構成し、
前記先端部本体には前記接続筒部の軸線と直交する方向に向けて止めねじが螺挿されるねじ孔を穿設し、
また前記先端カバーは、前記先端部本体に設けた前記ねじ孔を覆う位置まで嵌合させて、この嵌合部の前記ねじ孔の形成部と対応する位置に透孔を形成し、
前記止めねじは外周面にねじ溝を設けたねじ杆部と、このねじ杆部の基端部に凹溝を形成した締め込み作用部を連設し、前記ねじ杆部の先端から突出する係着部とを連設したものから構成され、かつ前記透孔の開口径は前記締め込み作用部の外径より大きく、前記ねじ杆部の外径より小さくなし、
また前記流体噴射ノズルを構成する前記接続筒部の外周面には、前記係着部が嵌入する凹部を形成し、
前記凹部を構成する両側の側壁のうち、基端側の側壁または前記止めねじの係着部の少なくともいずれか一方に傾斜面を設けて、この止めねじを前記ねじ孔に螺挿する
構成としたことを特徴とする内視鏡の流体噴射ノズルの取付構造。
【請求項２】
前記ねじ孔の長さは、前記止めねじのねじ杆部から前記係着部までの長さと同じか、それより長い寸法となし、前記透孔には止めねじにより前記流体噴射ノズルを固定した後に、シール材を充填する構成としたことを特徴とする請求項１記載の内視鏡の流体噴射ノズルの取付構造。
【請求項３】
前記先端カバーの表面には、前記噴射部の両側の当接部と当接することによって、前記流体噴射ノズルの噴射通路を前記観察窓に向くように位置決めする位置決め部を設ける構成としたことを特徴とする請求項１記載の内視鏡の流体噴射ノズルの取付構造。
【請求項４】
前記位置決め部は前記先端カバーの表面に設けた凹陥部の壁面から構成したことを特徴とする請求項３記載の内視鏡の流体噴射ノズルの取付構造。
【請求項５】
前記凹陥部には弾性部材を設ける構成としたことを特徴とする請求項４記載の内視鏡の流体噴射ノズルの取付構造。
【請求項６】
前記流体噴射ノズルの前記弾性部材の表面への当接部にエッジを有する構成としたことを特徴とする請求項５記載の内視鏡の流体噴射ノズルの取付構造。
【発明の詳細な説明】
【０００１】
【発明の属する技術分野】
本発明は、内視鏡の挿入部の先端に設けた観察窓を洗浄するために、この観察窓に向けて洗浄水や加圧エア等の流体を噴射する流体噴射ノズルを挿入部の先端部分の所定の位置に固定的に装着する内視鏡の流体噴射ノズルの取付構造に関するものである。
【０００２】
【従来の技術】
内視鏡は、一般に、図１１に示したように、本体操作部１に体腔等の内部に挿入される挿入部２を連設すると共に、この本体操作部１からユニバーサルコード３を引き出すように構成したものである。ユニバーサルコード３は光源装置等に着脱可能に接続されるものであり、挿入部２は、本体操作部１への連設部側から大半の長さは挿入経路に沿って任意の方向に曲がる軟性部２ａから構成され、この軟性部２ａの先端にはアングル部２ｂが、またアングル部２ｂの先端には先端構成部２ｃが順次連設されている。先端硬質部２ｃには、少なくとも照明窓及び観察窓が設けられている。
【０００３】
挿入部２は体腔内等に挿入される関係から、観察窓に体液その他の汚損物が付着するおそれがある。汚損物が観察窓に付着すると、良好な観察視野が得られなくなるので、体腔内等で観察窓を洗浄する洗浄機構を備えている。そこで、図１２に、観察窓と共に洗浄機構の構成を示す。
【０００４】
同図において、１０は先端部本体、１１は先端カバーをそれぞれ示す。先端部本体１０は強度及び加工の容易性等の観点から金属部材で形成されており、従ってこの先端部本体１０は導電部材である。従って、電気メス等を使用する時の安全性を確保するために、先端部本体１０は直接体内に触れないようにする必要があり、先端カバー１１で先端部本体１０を覆うように装着するのはこのためであり、この先端カバー１１は硬質のプラスチック材等の電気絶縁部材から構成される。そして、先端カバー１１は先端部本体１０の先端面を覆う端板部１１ａと、この端板部１１ａに連設され、先端部本体１０の外周面を覆う嵌合部１１ｂとから構成される。ただし、この嵌合部１１ｂは先端部本体１０の全長を覆うものではなく、先端側の僅かな部分を覆うようにしている。また、アングル部２ｂ側から軟性樹脂からなる外皮層１２を先端部本体１０側に延在させて、先端カバー１１の嵌合部１１ｂと突き合わせるようになし、その端部を糸巻き及び接着剤からなる固着部１３で固着している。
【０００５】
先端部本体１０には、その軸線方向に複数の貫通孔が形成されており、これら各貫通孔には所定の部材が接続乃至装着されている。また、先端カバー１１の端板部１１ａにも、先端部本体１０の貫通孔に対応する位置にそれぞれ開口が形成されている。これら貫通孔から開口にかけての部位に装着されるものとしては、対物レンズユニット１４がある。対物レンズユニット１４は内視鏡の観察機構を構成するものであって、この対物レンズユニット１４の結像位置には固体撮像装置１５が設けられている。ここで、対物レンズユニット１４を構成する最先端のレンズ１４ａは平凹レンズからなり、カバーガラスを兼ねるものであって、このレンズ１４ａが観察窓を構成する。なお、対物レンズユニット１４における最先端側にはレンズではなく、平行平面板からなり、レンズ効果を有しないカバーガラスが装着される場合もある。
【０００６】
観察窓を構成するレンズ１４ａは、外部に露出しているので、体内に挿入した時には、体液等の汚損物が付着するおそれがあり、観察に支障を来すことになる。このように、レンズ１４ａに汚損物が付着した時に、それを除去して良好な観察視野を確保するための洗浄機構としては、アングル部２ｂ側から延在させた送気・送水チューブ１６を有し、この送気・送水チューブ１６の先端部は先端部本体１０に穿設した流体通路１７に挿嵌させた接続パイプ１８に接続されている。流体通路１７の先端側は大径化されており、この大径化された部位はノズル挿嵌部１７ａとなっており、このノズル挿嵌部１７ａに流体噴射ノズル１９が装着される。
【０００７】
流体噴射ノズル１９は、接続筒部２０と、この接続筒部２０の上部に連設した噴射部２１とから構成され、噴射部２１は平面状の板体の両側部を曲成したものであり、この両側の曲成部は先端カバー１１の表面に当接する当接部２１ａ，２１ａとなり、これによって噴射部２１の内面と先端カバー１１との間に流体の噴射通路が形成され、先端の開口している部位が噴射口となる。従って、この噴射口を観察窓を構成するレンズ１４ａに向けた状態に組み付けることにより、洗浄水や加圧エアからなる洗浄用流体をレンズ１４ａに向けて噴射させることができる。そして、当接部２１ａが先端カバー１１から浮いた状態になっていると、その隙間から流体が漏れることになるから、この側部側の隙間を塞ぐために噴射部２１の噴射口以外の外周縁部にはシール材または接着剤を供給することによりシールしている。
【０００８】
流体噴射ノズル１９は、その噴射通路等に汚損物が固着して詰まりを生じる場合があるので、流体噴射ノズル１９は先端構成部２ｃから取り外し可能に装着されていなければならない。このために、図１３に示したように、先端部本体１０には、流体噴射ノズル１９を構成する接続筒部２０の軸線と直交する方向にねじ孔２２を穿設しておき、このねじ孔２２に先端が尖った止めねじ２３を螺挿して締め付けることによって、先端部を接続筒部２０の外周面に押し付けるようにして流体噴射ノズル１９を先端構成部２ｃに固定的に保持するようにしている。
【０００９】
【発明が解決しようとする課題】
ところで、前述した従来技術による流体噴射ノズル１９を固定するための止めねじ２３が螺挿されるねじ孔２２は、先端部本体１０において、外皮層１２で覆われている部位に穿設されている。従って、詰まり解除等のために、流体噴射ノズル１９を先端構成部２ｃから脱着して洗浄を行うには、外皮層１２を先端部本体１０から剥離しなければならない。このためには、糸巻き及び接着剤からなる固着部１３を取り外す必要があり、かつ流体噴射ノズル１９を再組み付けを行う際には、再び糸巻きを行って、接着剤を塗布する必要がある。このために、流体噴射ノズル１９の着脱作業が著しく面倒になるという問題点がある。
【００１０】
本発明は以上の点に鑑みてなされたものであって、その目的とするところは、先端構成部に着脱可能に装着される流体噴射ノズルを容易に着脱でき、かつ装着時には強固に固定できるようにすることにある。
【００１１】
【課題を解決するための手段】
前述した目的を達成するために、本発明は、アングル部を有する挿入部の先端に、硬質部材からなり、先端部本体と、この先端部本体を覆う先端カバーとから構成した先端構成部を設けて、この先端構成部には、少なくとも照明窓と観察窓とを形成し、かつこの観察窓に向けて洗浄用流体を供給する流体噴射ノズルを装着し、前記アングル部側から先端構成部の一部にまで外皮層を装着したものであって、前記流体噴射ノズルを、前記先端構成部に形成した流体通路に挿嵌される接続筒部と、この接続筒部の先端に設けられ、前記先端構成部の表面と当接するように設けられ、前記観察窓に向けた噴射通路を有する噴射部とから構成し、前記先端部本体には前記接続筒部の軸線と直交する方向に向けて止めねじが螺挿されるねじ孔を穿設し、また前記先端カバーは、前記先端部本体に設けた前記ねじ孔を覆う位置まで嵌合させて、この嵌合部の前記ねじ孔の形成部と対応する位置に透孔を形成し、前記止めねじは外周面にねじ溝を設けたねじ杆部と、このねじ杆部の基端部に凹溝を形成した締め込み作用部を連設し、前記ねじ杆部の先端から突出する係着部とを連設したものから構成され、かつ前記締め込み作用部の外径より大きく、前記ねじ杆部の外径より小さくなし、また前記流体噴射ノズルを構成する前記接続筒部の外周面には、前記係着部が嵌入する凹部を形成し、前記凹部を構成する両側の側壁のうち、基端側の側壁または前記止めねじの係着部の少なくともいずれか一方に傾斜面を設けて、この止めねじを前記ねじ孔に螺挿する構成としたことをその特徴とするものである。
【００１２】
ここで、先端構成部としては、先端部本体と、この先端部本体を覆う先端カバーとから構成されているものがある。この場合には、先端部本体に穿設したねじ孔は先端カバーで覆うようにする。即ち、先端カバーはこの先端部本体の側面に回り込む嵌合部をねじ孔を覆う位置まで延在させて、このねじ孔の形成部と対応する位置に透孔を形成する。これによって、先端カバーを取り外さなくても、流体噴射ノズルを着脱できるようになる。
【００１３】
噴射部は先端構成部に装着した時に、この先端構成部の表面との間に噴射通路が形成されるようにしているから、先端構成部からの突出部分の高さ寸法を短縮することができる。そして、噴射部は上面部の左右両側に先端構成部の表面に当接する当接部を形成している。
【００１４】
止めねじを装着した部位はアングル部側から延在させた外皮層により覆われていない。先端カバーを先端部本体から取り外さないで流体噴射ノズルに係脱させるように構成した場合にあっては、この止めねじが緩んで脱落しないように保持する必要がある。このためには、止めねじのねじ杆部の基端部に、締め付け治具が挿入される凹溝を備えた締め込み作用部を連設し、この締め込み作用部の外径をねじ杆部より細径とする。また、先端カバーに設けられる透孔は、その開口径をねじ杆部の外径と締め込み作用部の外径との中間の寸法とする。このように構成すれば、先端カバーを取り外さない限りは止めねじが脱落するおそれはなく、かつ先端カバーを装着したままで流体噴射ノズルの着脱を行える。そして、この透孔には止めねじにより流体噴射ノズルを固定した後に、シール材を充填することにより内部を気密に保持する。
【００１５】
観察窓を確実に洗浄するには、噴射部が確実に観察窓に向くように配置しなければならない。このためには、噴射部の位置決め機構を設ける。この位置決め機構としては、先端カバーの表面にその流体噴射ノズルの噴射部の当接部の側部に当接する壁面を持った凹陥部で構成することができる。例えば、この凹陥部は流体噴射ノズルの外周部を囲繞する位置決め壁で形成することができ、また流体噴射ノズルの先端カバー表面への当接部の部位が配置される溝等であっても良い。さらに、この凹陥部に弾性部材を貼着すれば、シール材や接着剤を用いなくても、当接部部と先端カバーとの間に隙間が生じないようにでき、さらに流体噴射ノズルの前記弾性部材の表面への当接部にエッジを有する構成とすれば、弾性部材に食い込むことから、さらに密閉性が良好になる。
【００１６】
【発明の実施の形態】
以下、図面に基づいて本発明の実施の形態について説明する。なお、以下の説明において、前述した従来技術の構成と同一または均等な構成については、同一の符号を付して、その説明を省略する。
【００１７】
而して、図１に内視鏡の挿入部２における先端部分の断面を示す。先端構成部２ｃは、先端部本体１０と先端カバー３０とから構成される点については、従来技術と格別の差異はないが、先端カバー３０の端板部３０ａに連設される嵌合部３０ｂは、その先端部本体１０への嵌合部を従来技術による先端カバー１１より長くなし、後述するねじ孔４１を完全に覆うような位置にまで延在されている。従って、アングル部２ｂ側から延在させた外皮層３１は、この先端カバー３０の嵌合部３０ｂの端部に当接する位置にまで延在されており、糸巻き及び接着剤の塗布による固着部３２ａにより先端部本体１０に固着されている。
【００１８】
先端カバー３０には所要箇所に複数の開口が形成されており、これによって図２に示したように、対物レンズユニット１４のレンズ１４ａが臨む観察窓３３が形成されており、また照明用レンズが臨む照明窓３４が２箇所形成されており、さらに処置具挿通チャンネル３５が開口している。そして、流体噴射ノズル３６は、先端カバー３０における端板部３０ａの表面に露出して、観察窓３３に近接する位置にまで延在されており、先端部本体１０に設けた流体通路１７から供給される洗浄水や加圧エアといった洗浄用流体を観察窓３３に向けて噴射できるようになっている。そして、流体通路１７には接続パイプ１８を介して送気・送水チューブ１６が接続されている。
【００１９】
流体噴射ノズル３６はポリスルフォンその他、高い強度を有し、かつ耐薬品性，耐熱性等に優れた電気絶縁性を有するプラスチック等から形成され、流体通路１７における大径化されたノズル挿嵌部１７ａに挿嵌される円筒形の接続筒部３７と、この接続筒部３７に連設される噴射部３８とから構成され、接続筒部３７の内部には流体通路１７に通じる流通路３９が形成され、噴射部３８はほぼ平面形状となった板体部の左右両側部を曲成して先端カバー３０の先端面に当接する当接部３８ａ，３８ａを形成して、その間の内面を先端カバー３０から所定の間隔だけ離間させることにより噴射通路４０が形成され、この噴射通路４０の先端は、観察窓３３に向けて流体を噴射させる噴射口４０ａとなっている。
【００２０】
以上の構成を有する流体噴射ノズル３６は、先端部本体１０に穿設したねじ孔４１に止めねじ４２を螺挿することにより固定的に保持される。この止めねじ４２は、図３及び図４に示したように、外周面にねじ溝を設けたねじ杆部４２ａの先端部には先細となった裁頭円錐形状の係着部４２ｂが連設されており、また基端側にはドライバ等の締め付け治具が係合する溝を設けた締め込み作用部４２ｃが連設されている。ここで、締め付け作用部４２ｃはねじ杆部４２ａより細径化されており、ねじ杆部４２ａと締め込み作用部４２ｃとの間には段差が生じている。止めねじ４２により流体噴射ノズル３６が固定的に保持されるが、この流体噴射ノズルを構成する接続筒部３７の外周面には止めねじ４２の係着部４２ｂが挿嵌される凹部４３が設けられている。この凹部４３は、加工の都合等の観点から、円環状に形成されており、その側壁は底部側から拡開する方向に傾斜する傾斜面４３ａ，４３ｂとなっている。そして、係着部４２ｂは、この凹部４３における基端側、即ち噴射部３８への連設側とは反対側の傾斜面４３ａに係合する。なお、止めねじ４２におけるねじ杆部４２ａから係着部４２ｂの先端面に至るまでの長さは、先端部本体１０に形成したねじ孔４１の全長とほぼ一致する長さとするのが好ましく、またねじ孔４１より僅かに長い寸法とすることもできる。
【００２１】
先端カバー３０を構成する嵌合部３０ｂにおけるねじ孔４１が設けた部位には透孔４４が穿設されており、この透孔４４は締め付け治具を挿入するためのものである。そして、この透孔４４の開口径は、止めねじ４２における締め付け作用部４２ｃの外径より大きく、ねじ杆部４２ａの外径より小さくなっている。これにより、止めねじ４２をねじ孔４１に螺挿した状態で、先端カバー３０を先端部本体１０に嵌合させると、この止めねじ４２は脱落できない状態になる。しかも、止めねじ４２のねじ杆部４２ａと締め付け作用部４２ｃとの間の段差部分を先端カバー３０の内面に当接する位置に配置すると、係着部４２ｂは流体噴射ノズル３６の接続筒部３７に形成した凹部４３から離間するので、先端カバー３０を先端部本体１０から分離しないでも、流体噴射ノズル３６を先端構成部２ｃから脱着できるようになる。さらに、この透孔４４には、止めねじ４２で流体噴射ノズル３６を固定した後に、シール材４５が充填されるようになっている。
【００２２】
本実施の形態は以上のように構成されるものであって、流体噴射ノズル３６を先端構成部２ｃに組み込むことによって、観察窓３３を構成するレンズ１４ａの表面に汚損物が付着すると、まず洗浄水を噴射して、このレンズ１４ａの表面を洗い流し、次いで加圧エアを噴射させることによりレンズ１４ａの表面に付着している水滴等を除去することができる。この点については、従来技術によるものと格別の差異はない。
【００２３】
そこで、この流体噴射ノズル３６の装着方法について、図５に基づいて説明する。即ち、同図（ａ）に示したように、先端カバー３０を先端部本体１０に装着する前の段階で、まず止めねじ４２をねじ孔４１に螺挿し、その締め込み作用部４２ｃがねじ孔４２内に完全に入り込んだ状態とする。従って、止めねじ４２の先端における係着部４２ｂは流体通路１７のノズル挿嵌部１７ａ内に入り込ませる。
【００２４】
次に、同図（ｂ）に示したように、先端カバー３０を先端部本体１０に装着する。この先端カバー３０は、その透孔４４がねじ孔４１の延長線上に位置する状態とする。そして、同図（ｃ）に示したように、一度止めねじ４２を螺回して係着部４２ｂを流体通路１７から退避させる。この操作は、透孔４４からドライバ等の治具を挿入して、締め込み作用部４２ｃと係合させることにより行うようにする。これによって、流体通路１７に流体噴射ノズル３６を装着するスペースが確保される。
【００２５】
この状態で、同図（ｄ）に示したように、流体噴射ノズル３６の接続筒部３７を先端カバー３０の表面側からノズル挿嵌部１７ａ内に挿入する。そして、止めねじ４２を螺回して、その先端の係着部４２ｂを流体噴射ノズル３６の接続筒部３７の外周面に形成した凹部４３に係合して流体噴射ノズル３６が脱落しない状態になる。そして、係着部４２ｂと凹部４３を構成する傾斜壁４３ｂとが当接するが、さらに止めねじ４２を追い込むと、係着部４２ｂにより流体噴射ノズル３６の接続筒部３７がノズル挿嵌部１７ａに引き込まれる方向に変位する。これにより、噴射部３８の当接部３８ａが先端カバー３０の表面に圧接されて、図３に示したようになる。この結果、流体噴射ノズル３６が固定されると共に、噴射部３８の当接部３８ａが先端カバー３０と密着するから、シール材等を供給しなくても、噴射通路４０の側部が密閉されることになる。従って、図３から明らかなように、係着部４２ｂの先端面が凹部４３の底面から離間している状態で、噴射部３８の当接部３８ａが先端カバー３０の表面に十分圧接されるようにすることにより、流体噴射ノズル３６の固定性及び噴射通路４０の側部の密着性を確保できる。そして、この状態で、透孔４４にシール材４５を充填することによりシールを行うようにする。
【００２６】
ここで、止めねじ４２は外皮層３１により覆われておらず、また治具を接続するために、先端カバー３０には透孔４４が形成されているが、この透孔４４の開口径は止めねじ４２におけるねじ杆部４２ａの外径より小さくなっているので、たとえ止めねじ４２が緩んだとしても、脱落するといった事態が発生することはない。また、止めねじ４２は、その係着部４２ｂが所定の嵌合長をもって凹部４３に嵌合しているので、この止めねじ４２のねじ杆部４２ａの基端部が先端カバー３０の嵌合部３０ｂの内面と当接する位置まで移行しない限りは、流体噴射ノズル３６が先端構成部２ｃから脱落することもない。そして、止めねじ４２をねじ孔４１の長さより僅かに長くしておけば、止めねじ４２が嵌合部３０ｂの内面と当接する位置まで移行しても、流体噴射ノズル３６が脱落することはなくなる。この場合には、止めねじ４２とねじ孔４１との寸法差にもよるが、止めねじ４２の先端部分は裁頭円錐形状の係着部４２ｂとなっているので、流体噴射ノズル３６に外力を加えると、その接続筒部３８が弾性変形することから、先端カバー３０を先端部本体１０に連結したままでも流体噴射ノズル３６の着脱を行うことができる。
【００２７】
ところで、挿入部２を体腔内に挿入すると、流体噴射ノズル３６も汚損物等と接触する可能性がある。この流体噴射ノズル３６における噴射口４０ａは細い開口部となっているから、汚損物がこの噴射口４０ａに入り込むと、こびりついて目詰りを起こす可能性がある。このように噴射口４０ａが目詰りすると、観察窓３３の洗浄に支障を来すことになるから、流体噴射ノズル３６を取り外して、その洗浄を行い、目詰りを解除しなければならず、また流体噴射ノズル３６が損傷した時に、それを交換しなければならない。流体噴射ノズル３６は、止めねじ４２により先端部本体１０に固定されている。
【００２８】
そこで、まず透孔４４に充填されているシール材４５を取り除いた後に、止めねじ４２と流体噴射ノズル３６との係合を解除することによって、即ち図５（ｃ）の状態にすることによって、この流体噴射ノズル３６を取り外すことができる。また、流体噴射ノズル３６を再装着する場合には、流体噴射ノズル３６の接続筒部３７をノズル挿嵌部１７ａに挿入して、止めねじ４２を所定の締め付け力が作用する状態にまで締め付けて、シール材４５を再充填することにより行える。従って、流体噴射ノズル３６の着脱操作は極めて簡単になる。
【００２９】
而して、流体噴射ノズル３６は、その噴射通路４０の噴射口４０ａが正確に観察窓３３を向くようにして固定されていなければならない。この流体噴射ノズル３６の接続筒部３７は円筒形のものであるから、流体通路１７のノズル挿嵌部１７ａ内に挿嵌させた状態で、噴射部３８は任意の方向に向けることができる。また、流体噴射ノズル３６を固定的に保持するための止めねじ４２は接続筒部３７の外面に設けた凹部４３を構成する傾斜壁４３ｂに当接することから、やはり円周方向の任意の位置で固定することができる。そこで、噴射口４０ａが確実に観察窓３３を向くように位置決めするには、図６及び図７に示した構成とすれば良い。
【００３０】
即ち、先端カバー５０の端板部５０ａの表面に、流体噴射ノズル３６の平面形状の外形に沿うような凹陥部５１を形成する。そして、この凹陥部５１を少なくとも観察窓３３が形成されている部位にまで延在させる。これによって、先端カバー５０には流体噴射ノズル３６の外径に沿った立ち上がり壁５２が形成されることになる。従って、流体噴射ノズル３６を装着した時に、その噴射部３８における外側面が先端カバー５０の立ち上がり壁５２と当接することになるから、この立ち上がり壁５２が流体噴射ノズル３６の位置決め壁として機能するようになって、噴射口４０ａを正確に観察窓３３に向けた状態に装着できる。なお、このように先端カバー５０の表面に段差を形成していることから、観察窓３３及びレンズ１４ａを装着した鏡筒の先端部は、凹陥部５１の底面とほぼ一致する位置に臨ませるのが好ましい。
【００３１】
さらに、図８に示したように、凹陥部５１内にゴム等の弾性シート６０を貼着するように構成することもできる。これによって、流体噴射ノズル３６を止めねじ４２で固定するに当って、その噴射部３８の当接部３８ａはこの弾性シート６０に圧接されることになるから、その密着力がより向上することになり、シール材等を供給しなくても、噴射通路４０の側部における隙間をなくすことができる。また、図９に示したように、流体噴射ノズル３６′の噴射部３８′における左右の当接部３８ａ′，３８ａ′をその長手方向に向けてエッジを有する構成とすれば、弾性シート６０への食い込みがさらに良好となり、その間のシール性を著しく高めることができる。
【００３２】
なお、流体噴射ノズルの脱落を防止するためには、図１０に示したように、流体噴射ノズル７０の接続筒部７１の基端側が太径部７１ａ先端側が細径部７１ｂとなるように段差を設け、先端部本体１０側に形成される凹部７２を流体噴射ノズル７０の太径部７１ａが嵌入する開口径となし、また先端カバー３０に設けられる開口７３の開口径を流体噴射ノズル７０の太径部７１ａの外径寸法と細径部７１ｂの外径寸法との間の寸法となるように設定することができる。このように構成すれば、止めねじ７４は流体噴射ノズル７０の脱落防止を図る機能を持たせる必要がなくなるので、その全長を短縮できることになる。
【００３３】
【発明の効果】
以上説明したように、本発明は、先端構成部の外皮層で覆った部分より先端側の位置にねじ孔を穿設して、このねじ孔に先端が流体噴射ノズルの接続筒部の外周面に当接して、この流体噴射ノズルを固定する止めねじを螺挿する構成としたので、先端構成部に着脱可能に装着される流体噴射ノズルを容易に着脱でき、かつ装着時には強固に、しかも安定した状態で固定できる等の効果を奏する。
【図面の簡単な説明】
【図１】本発明の実施の一形態を示す流体噴射ノズルを装着した内視鏡の挿入部における先端部分の断面図である。
【図２】挿入部の先端部の外観図である。
【図３】図１の要部拡大図である。
【図４】図１のＸ−Ｘ断面図である。
【図５】流体噴射ノズルの装着方法を示す説明図である。
【図６】本発明の他の実施の形態を示す先端カバーの平面図である。
【図７】図６の実施の形態における流体噴射ノズルの装着部の断面図である。
【図８】本発明におけるさらに別の実施の形態を示す流体噴射ノズルの装着部の断面図である。
【図９】流体噴射ノズルの噴射部の他の例を示す正面図である。
【図１０】本発明におけるさらに他の実施の形態を示す流体噴射ノズルの装着部の断面図である。
【図１１】内視鏡の全体構成図である。
【図１２】従来技術を示す流体噴射ノズルを装着した内視鏡の挿入部における先端部分の断面図である。
【図１３】図１２のＹ−Ｙ断面図である。
【符号の説明】
１  本体操作部                        ２  挿入部
２ａ  軟性部                          ２ｂ  アングル部
２ｃ  先端構成部                      １０  先端部本体
１４  対物レンズユニット              １４ａ  レンズ
１６  送気・送水チューブ              １７ａ  ノズル挿嵌部
１８  接続パイプ                      ３０，５０  先端カバー
３０ａ，５０ａ  端板部                ３０ｂ  嵌合部
３１  外皮層                          ３３  観察窓
３６，７０  流体噴射ノズル            ３７  接続筒部
３８，３８′  噴射部                  ３８ａ，３８ａ′  当接部
３９  流通路                          ４０  噴射通路
４０ａ  噴射口                        ４１  ねじ孔
４２，７４  止めねじ                  ４２ａ  ねじ杆部
４２ｂ  係着部                        ４２ｃ  締め付け作用部
４３，７２  凹部                      ４３ｂ  傾斜面
４４  透孔                            ４５  シール材
５１  凹陥部                          ５２  立ち上がり壁
６０  弾性シート
【図１】
0004182560.tif 000002
【図２】
0004182560.tif 000003
【図３】
0004182560.tif 000004
【図４】
0004182560.tif 000005
【図５】
0004182560.tif 000006
【図６】
0004182560.tif 000007
【図７】
0004182560.tif 000008
【図８】
0004182560.tif 000009
【図９】
0004182560.tif 000010
【図１０】
0004182560.tif 000011
【図１１】
0004182560.tif 000012
【図１２】
0004182560.tif 000013
【図１３】
0004182560.tif 000014